(57)【要約】【課題】ジャンボトイレットペーパーを容易に切り取ることができるジャンボトイレットペーパーホルダを提供する。【解決手段】本体部１０の前面の略中央には、ジャンボトイレットペーパーを保持するための軸部２０が設けられている。軸部２０は、その中心軸から放射状に延びていると共にその中心軸方向から見たときに略等しい角度間隔で配されている四つの長方形状の板状体２１を有する。軸部２０は、ジャンボトイレットペーパーの内面が少なくとも一つの板状体２１の端部に当接した状態でジャンボトイレットペーパーを保持する。また、蓋部３０の下端部には、ジャンボトイレットペーパーを切り取るための切取部５０が設けられている。切取部５０は、軸部２０の中心軸方向に平行な方向に沿って一定の間隔で形成された略直方体形状の複数の突起部５１を有する。【選択図】図１
2006280491.tif 000002
【特許請求の範囲】
【請求項１】
ジャンボトイレットペーパーを保持するための軸部が前面の略中央に設けられた本体部と、
前記本体部の前面側を覆うようにして前記本体部に装着される蓋部と、
前記本体部又は前記蓋部の下部に形成された、前記ジャンボトイレットペーパーを取り出すための取出口と、
を備え、
前記軸部は、その中心軸から放射状に延びていると共にその中心軸方向から見たときに略等しい角度間隔で配されている少なくとも四つの長方形状の板状体を有しており、且つ、前記軸部は、前記ジャンボトイレットペーパーの内面が少なくとも一つの前記板状体の端部に当接した状態で前記ジャンボトイレットペーパーを保持することを特徴とするジャンボトイレットペーパーホルダ。
【請求項２】
前記取出口の周囲に位置する前記本体部又は前記蓋部の下端部に設けられた、前記ジャンボトイレットペーパーを切り取るための切取手段を備えており、前記切取手段が、前記軸部の中心軸方向に平行な方向に沿って一定の間隔で形成された略直方体形状の複数の突起部を有することを特徴とする請求項１記載のジャンボトイレットペーパーホルダ。
【請求項３】
前記軸部の中心軸方向に直交する方向に沿っての前記切取手段の横幅が少なくとも５ｍｍであり、前記各突起部の高さが少なくとも２ｍｍであることを特徴とする請求項２記載のジャンボトイレットペーパーホルダ。
【請求項４】
前記軸部が前記本体部に着脱可能に構成されており、且つ、前記軸部には警報発生手段が設けられていることを特徴とする請求項１、２又は３記載のジャンボトイレットペーパーホルダ。
【発明の詳細な説明】
【技術分野】
【０００１】
本発明は、ジャンボトイレットペーパーを収納するジャンボトイレットペーパーホルダに関するものである。
【背景技術】
【０００２】
最近、公共施設等のトイレには、ロール状のジャンボトイレットペーパーを収納するジャンボトイレットペーパーホルダが設置されていることがある。一個のジャンボトイレットペーパーは、その巻き数により異なるが、通常のトイレットペーパーの８個分以上に相当する。一般に、ジャンボトイレットペーパーホルダは、本体部と、その本体部の一方の側に開閉可能に取り付けられた蓋部とを有する（例えば、特許文献１参照。）。この本体部には、ジャンボトイレットペーパーを保持するための軸部が取り付けられている。また、本体部又は蓋部の下端部には、ジャンボトイレットペーパーを取り出すための取出口が設けられている。
【０００３】
また、通常、ジャンボトイレットペーパーホルダは、トイレを使用している者の視線と略同じ高さの位置に設置される。このため、ジャンボトイレットペーパーホルダの前面はトイレを使用している者が必ず目を向ける場所であるので、最近では、ジャンボトイレットペーパーホルダの前面に広告を掲載することが行われている。
【０００４】
【特許文献１】実開平６−１３６８３号公報
【発明の開示】
【発明が解決しようとする課題】
【０００５】
ところで、従来は、軸部として円筒形状に形成されたものが用いられている。また、ジャンボトイレットペーパーホルダでは、一般の家庭用のトイレットペーパーホルダと異なり、トイレットペーパーの上面に当接させることによりトイレットペーパーの回転時にトイレットペーパーに抵抗を与えるためのカバー部が設けられていない。このため、軸部として円筒形状に形成されたものを用いた場合、使用者がジャンボトイレットペーパーを引き出したときに、ジャンボトイレットペーパーには軸部からあまり抵抗がかからず、ジャンボトイレットペーパーがクルクルと自由に回転してしまう。このようにジャンボトイレットペーパーが容易に回転してしまうのでは、使用者は、一方の手でジャンボトイレットペーパーを押さえながら、もう一方の手でジャンボトイレットペーパーを切り取らなければならない。したがって、従来のジャンボトイレットペーパーホルダでは、ジャンボトイレットペーパーを容易に切り取ることができず、使い勝手があまりよくないという問題があった。
【０００６】
本発明は上記事情に基づいてなされたものであり、ジャンボトイレットペーパーを容易に切り取ることができるジャンボトイレットペーパーホルダを提供することを目的とするものである。
【課題を解決するための手段】
【０００７】
上記の目的を達成するための請求項１記載の発明に係るジャンボトイレットペーパーホルダは、ジャンボトイレットペーパーを保持するための軸部が前面の略中央に設けられた本体部と、前記本体部の前面側を覆うようにして前記本体部に装着される蓋部と、前記本体部又は前記蓋部の下部に形成された、前記ジャンボトイレットペーパーを取り出すための取出口と、を備え、前記軸部は、その中心軸から放射状に延びていると共にその中心軸方向から見たときに略等しい角度間隔で配されている少なくとも四つの長方形状の板状体を有しており、且つ、前記軸部は、前記ジャンボトイレットペーパーの内面が少なくとも一つの前記板状体の端部に当接した状態で前記ジャンボトイレットペーパーを保持することを特徴とするものである。
【０００８】
請求項２記載の発明は、請求項１記載のジャンボトイレットペーパーホルダにおいて、前記取出口の周囲に位置する前記本体部又は前記蓋部の下端部に設けられた、前記ジャンボトイレットペーパーを切り取るための切取手段を備えており、前記切取手段が、前記軸部の中心軸方向に平行な方向に沿って一定の間隔で形成された略直方体形状の複数の突起部を有することを特徴とするものである。
【０００９】
請求項３記載の発明は、請求項２記載のジャンボトイレットペーパーホルダにおいて、前記軸部の中心軸方向に直交する方向に沿っての前記切取手段の横幅が少なくとも５ｍｍであり、前記各突起部の高さが少なくとも２ｍｍであることを特徴とするものである。
【００１０】
請求項４記載の発明は、請求項１、２又は３記載のジャンボトイレットペーパーホルダにおいて、前記軸部が前記本体部に着脱可能に構成されており、且つ、前記軸部には警報発生手段が設けられていることを特徴とするものである。
【発明の効果】
【００１１】
請求項１記載のジャンボトイレットペーパーホルダでは、軸部は、その中心軸から放射状に延びていると共にその中心軸方向から見たときに略等しい角度間隔で配されている少なくとも四つの長方形状の板状体を有しており、且つ、その軸部は、ジャンボトイレットペーパーの内面が少なくとも一つの板状体の端部に当接した状態でジャンボトイレットペーパーを保持している。これにより、ジャンボトイレットペーパーと当該板状部の端部とは、ジャンボトイレットペーパーの回転方向に直交する方向に沿って直線的に且つ広範囲に接触し、しかも、当該板状部には、ジャンボトイレットペーパーの大きな荷重がかかるので、ジャンボトイレットペーパーは、その回転時に、当該板状部の端部から全体としてある程度大きな抵抗力を受けることになる。したがって、使用者がジャンボトイレットペーパーを引き出すときに、ジャンボトイレットペーパーには適度な抵抗がかかり、ジャンボトイレットペーパーがクルクルと自由に回転してしまうことはないので、使用者は、ジャンボトイレットペーパーを実際に必要な量だけ引き出して、ジャンボトイレットペーパーを容易に切り取ることができる。
【００１２】
請求項２記載のジャンボトイレットペーパーホルダでは、ジャンボトイレットペーパーを切り取るための切取手段は、軸部の中心軸方向に平行な方向に沿って一定の間隔で形成された略直方体形状の複数の突起部を有する。このため、切取手段を用いてジャンボトイレットペーパーを切り取る際に、ジャンボトイレットペーパーには、軸部からの抵抗に加えて、切取手段からの抵抗が作用することになるので、ジャンボトイレットペーパーは回転せずにしっかり固定された状態を維持することができる。したがって、使用者は、ジャンボトイレットペーパーを片手で容易に切り取ることができる。
【００１３】
請求項３記載のジャンボトイレットペーパーホルダでは、軸部の中心軸方向に直交する方向に沿っての切取手段の横幅が少なくとも５ｍｍであり、各突起部の高さが少なくとも２ｍｍであることにより、ジャンボトイレットペーパーと切取手段との接触面積をとても広くすることができるので、ジャンボトイレットペーパーの切取時に、ジャンボトイレットペーパーに切取手段から大きな抵抗力を作用させることができる。
【００１４】
請求項４記載のジャンボトイレットペーパーホルダでは、軸部が本体部に着脱可能に構成されており、且つ、軸部には警報発生手段が設けられていることにより、公共施設等のトイレでの犯罪防止に役立てることができる。
【発明を実施するための最良の形態】
【００１５】
以下に、図面を参照して、本願に係る発明を実施するための最良の形態について説明する。図１は本発明の一実施形態であるジャンボトイレットペーパーホルダの概略斜視図、図２はそのジャンボトイレットペーパーホルダの本体部の概略斜視図、図３（ａ）はそのジャンボトイレットペーパーホルダの軸部の概略斜視図、図３（ｂ）はそのジャンボトイレットペーパーホルダの軸部の概略側面図、図４はそのジャンボトイレットペーパーホルダの蓋部の概略斜視図、図５はそのジャンボトイレットペーパーホルダの蓋部の概略背面図、図６はそのジャンボトイレットペーパーホルダの切取部の概略部分斜視図である。
【００１６】
本実施形態のジャンボトイレットペーパーホルダは、ジャンボトイレットペーパーを収納するものであり、図１に示すように、本体部１０と、軸部２０と、蓋部３０と、前板４０と、切取部５０とを備える。ここで、本体部１０を蓋部３０で覆った状態では、軸部２０は本体部１０と蓋部３０とで囲まれた領域内に存在するが、図１では、各構成要素を明確に示すために、軸部２０を実線で描いている。
【００１７】
ジャンボトイレットペーパーは、その孔部を軸部２０に挿入して本体部１０に装着される。１個のジャンボトイレットペーパーは、その巻き数により異なるが、通常のトイレットペーパーの８個分以上に相当する。例えば、６００ｍ巻きのジャンボトイレットペーパーは通常のトイレットペーパーの約１０個分に相当し、その直径は約２３ｃｍである。
【００１８】
また、かかるジャンボトイレットペーパーホルダには、広告媒体（紙）２を取り付けることができる。このため、本実施形態のジャンボトイレットペーパーホルダは、例えば、多数の人が利用する公共施設等のトイレに設置される。
【００１９】
本体部１０は、図２に示すように、基部１１と、側壁部１２と、二つの係合孔部１３と、止具１４と、中空の円筒状部１５とを有する。基部１１は、その全体形状が略円形状に形成されている。基部１１の背面がトイレの壁面に接するようにして、本体部１０がトイレに取り付けられる。基部１１の周端縁には、図２に示すように、基部１１の下側部分を除いて、側壁部１２が形成されている。二つの係合孔部１３は、蓋部３０を取り付けるためのものであり、それぞれ側壁部１２の下部の左側、右側に形成されている。
【００２０】
止具１４は、本体部１０の前面側が蓋部３０で覆われたときに蓋部３０を係止するためのものであり、側壁部１２の上部に設けられている。中空の円筒状部１５は、軸部２０を取り付けるためのものであり、基部１１の前面の略中央に設けられている。軸部２０の端部を円筒状部１５の内部に挿入することにより、軸部２０が本体部１０にしっかりと固定される。
【００２１】
軸部２０は、ジャンボトイレットペーパーを保持するためのものであり、図３に示すように、四つの長方形状の板状部２１と、複数の扇形状のリブ２２と、円形状の前板部２３と、取付部２４とを有する。四つの板状部２１は、軸部２０の中心軸から放射状に延びていると共にその中心軸方向から見たときに略等しい角度間隔で配されている。すなわち、軸部２０をその中心軸に垂直な平面で切ったときの四つの板状部２１の断面形状は、略十字形になっている。また、四つの板状部２１の形状・大きさはすべて同じである。
【００２２】
各リブ２２は、四つの板状部２１の強度を高めるためのものであり、軸部２０の中心軸方向に沿っての所定の位置において隣り合う二つの板状部２１の間に形成されている。また、軸部２０の前面には、円形状の前板部２３が形成されている。この前板部２３もリブ２２と同様に四つの板状部２１の強度を高める役割を果たす。実際、ジャンボトイレットペーパーの重量は１ｋｇ以上あるので、軸部２０にリブ２２や前板部２３を設けることにより、軸部２０がジャンボトイレットペーパーの重量に耐えられるようにしているのである。
【００２３】
取付部２４は、軸部２０を本体部１０に取り付けるためのものであり、軸部２０の後部に形成されている。この取付部２４の大きさは、本体部１０の円筒状部１５の直径と略同じである。取付部２４を円筒状部１５に嵌め込むことにより、軸部２０が本体部１０にしっかりと固定される。このため、ジャンボトイレットペーパーの使用時に、ジャンボトイレットペーパーが回転しても、軸部２０は回転することはない。また、軸部２０を本体部１０から取り外すこともできる。このように、本実施形態では、軸部２０は、本体部１０に着脱可能に構成されている。
【００２４】
本実施形態では、軸部２０をその中心軸方向から見たときに、板状部２１がリブ２２及び前板部２３よりも突出するように、板状部２１の大きさを設計している。ここで、板状部２１がリブ２２及び前板部２３よりも突出している長さＡは少なくとも１ｍｍであることが望ましい。このため、ジャンボトイレットペーパーの孔部に軸部２０を挿入すると、ジャンボトイレットペーパーは、少なくとも一つの板状部２１の端部と当接することなり、この当接した状態で軸部２０によって保持されることになる。具体的に、軸部２０の取付部２４を本体部１０の円筒状部１５に嵌め込む際、軸部２０をその中心軸方向から見たときの四つの板状部２１の向きを、例えば「十」の形状となる向きにしたり、「×」の形状となる向きにしたり、自由に調整することが可能である。そして、板状部２１の向きによっては、ジャンボトイレットペーパーは、二つの板状体２１の端部に当接した状態で軸部２０に保持されることがある。
【００２５】
蓋部３０は、本体部１０をその前面側から覆うためのものであり、図４及び図５に示すように、背面開口部３１と、取出口３２と、二つのヒンジ部３３と、係止部３４と、円環状部３５と、凹部３６と、二つの細長い孔部３７とを有する。蓋部３０は、例えば半透明の樹脂等で作製される。蓋部３０の背面には、背面開口部３１が形成されている。蓋部３０で本体部１０の前面側を覆うと、本体部１０に装着されたジャンボトイレットペーパーは、背面開口部３１から蓋部３０の内部に収納されることになる。ここで、蓋部３０の奥行きは、ジャンボトイレットペーパーの幅よりも大きい。
【００２６】
取出口３２は、ジャンボトイレットペーパーを取り出すためのものであり、蓋部３０の下部に形成されている。また、二つのヒンジ部３３はそれぞれ、取出口３２の周囲に位置する蓋部３０の下端部の左側、右側に設けられている。かかるヒンジ部３３をそれぞれ、本体部１０の係合孔部１３に挿着することにより、蓋部３０は本体部１０に取り付けられる。そして、蓋部３０は、二つのヒンジ部３３を結ぶ軸の回りに回動可能になる。
【００２７】
係止部３４は、蓋部３０の上端部に設けられている。蓋部３０を回転することにより本体部１０の前面側を覆うようにして蓋部３０を本体部１０に装着すると、本体部１０に設けられた止具１４が係止部３４と係合することにより、蓋部３０が本体部１０に固定される。
【００２８】
本実施形態では、蓋部３０を本体部１０に装着したときに軸部２０の前板部２３が蓋部３０の内面に当接するように、蓋部３０の奥行きを設計している。そして、蓋部３０の内面であって軸部２０が蓋部３０の内面に当接する部分を取り囲む位置には、円環状部３５が形成されている。この円環状部３５は、当該位置が若干突出するように形成されている。円環状部３５は、ジャンボトイレットペーパーの使用時に、蓋部３０の内面に当接している軸部２０の位置がずれてしまうのを防止する役割を果たす。
【００２９】
蓋部３０の前面側には、前板４０を取り付けるための凹部３６が形成されている。かかる凹部３６は、図４に示すように、略円形状であってその円の下部が切り欠かれた形状に形成されている。この凹部３６の深さは約５ｍｍ程度である。また、凹部３６の上側及び下側における蓋部３０の側面にはそれぞれ、孔部３７が形成されている。かかる孔部３７は、以下に説明するように、前板４０の凸状部を挿入するためのものである。
【００３０】
前板４０は、蓋部３０の凹部３６に広告媒体２を密着させるためのものである。かかる前板４０は、図１に示すように、円板の下部が切り欠かれた形状に形成されている。すなわち、前板４０の形状・大きさは、蓋部３０の凹部３６の形状・大きさと略同じである。また、前板４０の上部及び下部にはそれぞれ、略長方形状の凸状部４１が形成されている。蓋部３０の前面側に前板４０を配し、前板４０を撓ませながら、前板４０の二つの凸状部４１をそれぞれ、蓋部３０の孔部３７に挿入することにより、前板４０は、蓋部３０の凹部３６内に嵌め込まれる。
【００３１】
前板４０の厚さは薄く、例えば約１ｍｍ程度である。この前板４０は、例えばプラスチック製の下敷きと同程度の可撓性を有している。また、前板４０と蓋部３０の凹部３６との間には、広告媒体２が配置されるので、前板４０の前面側から広告媒体２に記載した内容が見えるように、前板４０は透明又は半透明の材料で作製されている。例えば、前板４０の材料としては、ＡＳ樹脂等の透明樹脂を用いることができる。
【００３２】
尚、広告媒体２は、蓋部３０の凹部３６に収まるようなサイズのものが使用される。図１では、蓋部３０の凹部３６と略同じ形状に形成された広告媒体２の例を示している。
【００３３】
取出口３２の周囲に位置する蓋部３０の左右の下端部にはそれぞれ、切取部５０が設けられている。切取部５０は、ジャンボトイレットペーパーを切り取るためのものであり、図１、図５及び図６に示すように、略直方体形状の複数の突起部５１を有する。複数の突起部５１は、軸部２０の中心軸方向に平行な方向に沿って一定の間隔で形成されている。また、複数の突起部５１は二列に配列されている。切取部５０の横幅Ｂは少なくとも５ｍｍとすることが望ましく、また、各突起部５１の高さＣは少なくとも２ｍｍとすることが望ましい。ここで、切取部５０の横幅Ｂとは、軸部の中心軸方向に直交する方向に沿っての幅、すなわち、複数の突起部５１が二列に配列された方向に沿っての幅である。本実施形態では、切取部５０の横幅Ｂを約１５ｍｍ、各突起部５１の高さＣを約４ｍｍとしている。尚、複数の突起部５１を、必ずしも二列に配列して形成する必要はなく、一列又は三列以上に配列して形成してもよい。
【００３４】
ところで、切取部としては、その横幅の非常に狭い平面的なものであって、各突起部の先端が尖っているものを用いることも考えられる。しかし、このような切取部を蓋部３０に設けた場合には、ジャンボトイレットペーパーを引き出す際に、指が突起部に触れただけで、指に怪我をしてしまうおそれがある。本実施形態では、上述したように、切取部５０として、複数の突起部５１が略直方体形状に形成されたものを用いているので、切取部５０によって指に怪我をしてしまうという問題は生じない。
【００３５】
尚、切取部５０は蓋部３０と着脱可能に構成するようにしてもよい。これにより、切取部５０を一体成型により容易に製造することが可能である。また、切取部５０と蓋部３０とを個別に製造することができるので、例えば切取部５０と蓋部３０との色彩を異ならしめて、デザインの自由度を高めることができる。
【００３６】
次に、本実施形態のジャンボトイレットペーパーホルダにおいて蓋部３０に広告媒体２を取り付ける手順を説明する。ここでは、蓋部３０に前板４０が未だ取り付けられていないものとする。
【００３７】
まず、作業者は、広告が記載されていない広告媒体２の裏面が凹部３６の表面と対向するように、広告媒体２を蓋部３０の凹部３６に配置する。本実施形態では、凹部３６を略円形状に形成すると共にその下側が切り欠かれた形状に形成し、且つ、広告媒体２を凹部３６と略同じ形状に形成している。このため、作業者は、広告媒体２を、単純に蓋部３０の凹部３６の形状に合わせてその凹部３６に配置するだけで、正しい向きにセットすることができる。
【００３８】
次に、作業者は、蓋部３０の前面側において、前板４０の向きと凹部３６の向きとが同じになるように、前板４０の位置を合わせる。そして、前板４０を凸状に撓ませた後、前板４０の二つの凸状部４１をそれぞれ、蓋部３０の孔部３７に挿入する。こうして、二つの凸状部４１がそれぞれ孔部３７に完全に挿入されると、前板４０は凹部３６の表面に広告媒体２を介して密着する。このようにして、前板４０を蓋部３０に簡単に取り付けることができる。このとき、本実施形態では、前板４０を凹部３６と略同じ形状に形成しているので、前板４０は凹部３６内にぴったりと装着される。このため、一旦、前板４０が凹部３６に装着された後は、蓋部３０の前面側から前板４０を簡単に取り外すことはできない。したがって、他人が勝手に広告媒体２を抜き取ったり、他の広告媒体２を無断で取り付けたりすることはできない。以上で、広告媒体２を蓋部３０に取り付ける作業が完了する。
【００３９】
一方、広告媒体２を交換する場合には、まず、作業者は、本体部１０の止具１４を蓋部３０の係止部３４から外し、二つのヒンジ部２３を結ぶ軸を回転軸として蓋部３０を回転することにより、蓋部３０を開く。次に、作業者は、蓋部３０の裏面側において、二つの孔部３７から突出している二つの凸状部４１のうち少なくとも一方を凹部３６の側に押し込む。これにより、前板４０は撓むので、その撓んだ前板４０の部分を手で掴んで、前板４０を蓋部３０から取り外すことができる。その後、作業者は、蓋部３０を回転して、蓋部３０を閉じる。このように前板４０を蓋部３０から簡単に取り外して、広告媒体２の交換作業を容易に行うことができる。
【００４０】
次に、本実施形態のジャンボトイレットペーパーホルダにジャンボトイレットペーパーを取り付ける手順を説明する。
【００４１】
まず、作業者は、本体部１０の止具１４と蓋部３０の係止部３４との係合状態を解除する。そして、蓋部３０を回転することにより、蓋部３０を開き、本体部１０の基部１１を露出させる。次に、作業者は、ジャンボトイレットペーパーの孔部を軸部２０に挿入することにより、ジャンボトイレットペーパーを本体部１０に装着する。その後、作業者は、蓋部３０を回転して、本体部１０の前面側を蓋部３０で覆う。そして、本体部１０の止具１４と蓋部３０の係止部３４とを係合させることにより、蓋部３０を本体部１０に固定する。以上で、ジャンボトイレットペーパーを取り付ける作業が完了する。
【００４２】
また、ジャンボトイレットペーパーホルダにジャンボトイレットペーパーを取り付けた状態では、軸部２０の前板部２３は蓋部３０の内面と当接し、軸部２０は本体部１０の基部１１と蓋部３０とによって押圧される。しかも、軸部２０の前板部２３が蓋部３０の表面と当接する部分の周囲には円環状部３５が形成されている。このため、通常、ジャンボトイレットペーパーの重量は１ｋｇ以上あるが、たとえジャンボトイレットペーパーを激しく回転させたとしても、軸部２０が振動したり、軸部２０の位置がずれたりすることはない。
【００４３】
次に、本実施形態のジャンボトイレットペーパーホルダにおいてジャンボトイレットペーパーを切り取る手順を説明する。
【００４４】
まず、使用者は、取出口３２においてジャンボトイレットペーパーの先端を掴み、そのジャンボトイレットペーパーを所定量だけ下方向に引き出す。本実施形態では、軸部２０は、ジャンボトイレットペーパーの内面が四つの板状部２１のうち少なくとも一つの板状部２１の端部に当接した状態でジャンボトイレットペーパーを保持している。これにより、ジャンボトイレットペーパーと当該板状部２１の端部とは、ジャンボトイレットペーパーの回転方向に直交する方向に沿って直線的に且つ広範囲に接触し、しかも、当該板状部２１には、ジャンボトイレットペーパーの大きな荷重がかかる。このため、ジャンボトイレットペーパーは、その回転時に、当該板状部２１の端部から全体としてある程度大きな抵抗力を受けることになる。したがって、使用者がジャンボトイレットペーパーを引き出すときに、ジャンボトイレットペーパーには適度な抵抗がかかり、ジャンボトイレットペーパーがクルクルと自由に回転してしまうことはないので、使用者は、ジャンボトイレットペーパーを実際に必要な量だけ引き出すことができる。
【００４５】
また、本実施形態のジャンボトイレットペーパーホルダでは、ジャンボトイレットペーパーは軸部２０とのみ接触し、他の部材とは何ら接触することはない。このため、ジャンボトイレットペーパーを下方向に引き出して回転させても、耳障りな音が発生することはない。
【００４６】
次に、使用者は、取出口３２から引き出したジャンボトイレットペーパーによって切取部５０の複数の突起部５１を下側から覆うようにして、ジャンボトイレットペーパーの先端を例えば上方向又は水平方向にさらに引き出す。そして、切取部５０を支点としてジャンボトイレットペーパーを捩じりながら引っ張ることにより、ジャンボトイレットペーパーを切り取る。このとき、ジャンボトイレットペーパーは上述した軸部２０からの抵抗を受けているので、ジャンボトイレットペーパーを容易に切り取ることができる。特に、本実施形態では、切取部５０の各突起部５１を略直方体形状に形成し、しかも切取部５０の横幅Ｂを約１５ｍｍ、各突起部５１の高さＣを約４ｍｍとしたことにより、ジャンボトイレットペーパーと切取部５０との接触面積をとても広くすることができる。このため、切取動作の際、ジャンボトイレットペーパーには、軸部２０からの抵抗力に加えて、切取部５０から大きな抵抗力が作用することになるので、ジャンボトイレットペーパーは回転せずにしっかり固定された状態を維持することができる。したがって、本実施形態では、使用者は、ジャンボトイレットペーパーを片手で容易に切り取ることができる。
【００４７】
本実施形態のジャンボトイレットペーパーホルダでは、軸部は、その中心軸から放射状に延びていると共にその中心軸方向から見たときに略等しい角度間隔で配されている少なくとも四つの長方形状の板状体を有しており、且つ、その軸部は、ジャンボトイレットペーパーの内面が少なくとも一つの板状体の端部に当接した状態でジャンボトイレットペーパーを保持している。これにより、ジャンボトイレットペーパーと当該板状部の端部とは、ジャンボトイレットペーパーの回転方向に直交する方向に沿って直線的に且つ広範囲に接触し、しかも、当該板状部には、ジャンボトイレットペーパーの大きな荷重がかかるので、ジャンボトイレットペーパーは、その回転時に、当該板状部の端部から全体としてある程度大きな抵抗力を受けることになる。したがって、使用者がジャンボトイレットペーパーを引き出すときに、ジャンボトイレットペーパーには適度な抵抗がかかり、ジャンボトイレットペーパーがクルクルと自由に回転してしまうことはないので、使用者は、ジャンボトイレットペーパーを実際に必要な量だけ引き出して、ジャンボトイレットペーパーを容易に切り取ることができる。
【００４８】
また、本実施形態のジャンボトイレットペーパーホルダでは、切取部は、軸部の中心軸方向に平行な方向に沿って一定の間隔で形成された略直方体形状の複数の突起部を有する。このため、切取部を用いてジャンボトイレットペーパーを切り取る際に、ジャンボトイレットペーパーには、軸部からの抵抗に加えて、切取部からの抵抗が作用することになるので、ジャンボトイレットペーパーは回転せずにしっかり固定された状態を維持することができる。したがって、使用者は、ジャンボトイレットペーパーを片手で容易に切り取ることができる。
【００４９】
更に、本実施形態のジャンボトイレットペーパーホルダでは、軸部の中心軸方向に直交する方向に沿っての切取手段の横幅が少なくとも５ｍｍであり、各突起部の高さが少なくとも２ｍｍであることにより、ジャンボトイレットペーパーと切取部との接触面積を広くすることができるので、ジャンボトイレットペーパーの切取時に、ジャンボトイレットペーパーに切取部から大きな抵抗力を作用させることができる。
【００５０】
尚、本発明は上記の実施形態に限定されるものではなく、その要旨の範囲内において種々の変形が可能である。
【００５１】
例えば、上記の実施形態では、軸部として、四つの長方形状の板状体を有するものを用いた場合について説明したが、軸部としては、四つ以上の長方形状の板状体を有するものを用いてもよい。この場合も、上述した本実施形態の効果と同様の効果を奏する。
【００５２】
また、上記の実施形態では、蓋部の奥行きをジャンボトイレットペーパーの幅よりも大きくして、本体部に装着されたジャンボトイレットペーパーを蓋部内に収納する場合について説明したが、逆に、本体部の奥行きをジャンボトイレットペーパーの幅よりも大きくして、ジャンボトイレットペーパーを本体部内に収納するようにしてもよい。この場合には、取出口は本体部の下部に形成され、切取部は、取出口の周囲に位置する本体部の下端部に設けられることになる。
【００５３】
更に、上記の実施形態においては、軸部を本体部に着脱可能に取り付けたことにより、軸部にはさまざまな機能を追加することが可能である。例えば、軸部に、警報を発することができる警報発生手段を設けることが考えられる。具体的に、かかる警報発生手段としては、軸部の所定部位を押すことにより警報を発するようなものを用いることができる。このように、軸部に警報発生機能を付加することにより、公共施設等のトイレでの犯罪防止に役立てることができる。
【産業上の利用可能性】
【００５４】
以上説明したように、本発明のジャンボトイレットペーパーホルダでは、軸部は、その中心軸から放射状に延びていると共にその中心軸方向から見たときに略等しい角度間隔で配されている少なくとも四つの長方形状の板状体を有しており、且つ、その軸部は、ジャンボトイレットペーパーの内面が少なくとも一つの板状体の端部に当接した状態でジャンボトイレットペーパーを保持している。これにより、ジャンボトイレットペーパーは、その回転時に、当該板状部の端部から全体としてある程度大きな抵抗力を受けることになる。このため、使用者がジャンボトイレットペーパーを引き出すときに、ジャンボトイレットペーパーには適度な抵抗がかかり、ジャンボトイレットペーパーがクルクルと自由に回転してしまうことはないので、使用者は、ジャンボトイレットペーパーを実際に必要な量だけ引き出して、ジャンボトイレットペーパーを容易に切り取ることができる。したがって、本発明は、主として、多数の人が利用する公共施設等のトイレに設置されるジャンボトイレットペーパーホルダに適用することができる。
【図面の簡単な説明】
【００５５】
【図１】本発明の一実施形態であるジャンボトイレットペーパーホルダの概略斜視図である。
【図２】そのジャンボトイレットペーパーホルダの本体部の概略斜視図である。
【図３】（ａ）はそのジャンボトイレットペーパーホルダの軸部の概略斜視図、（ｂ）はそのジャンボトイレットペーパーホルダの軸部の概略側面図である。
【図４】そのジャンボトイレットペーパーホルダの蓋部の概略斜視図である。
【図５】そのジャンボトイレットペーパーホルダの蓋部の概略背面図である。
【図６】そのジャンボトイレットペーパーホルダの切取部の概略部分斜視図である。
【符号の説明】
【００５６】
２  広告媒体
１０  本体部
１１  基部
１２  側壁部
１３  係合孔部
１４  止具
１５  円筒状部
２０  軸部
２１  板状部
２２  リブ
２３  前板部
２４  取付部
３０  蓋部
３１  背面開口部
３２  取出口
３３  ヒンジ部
３４  係止部
３５  円環状部
３６  凹部
３７  孔部
４０  前板
４１  凸状部
５０  切取部
５１  突起部
【図１】
2006280491.tif 000003
【図２】
2006280491.tif 000004
【図３】
2006280491.tif 000005
【図４】
2006280491.tif 000006
【図５】
2006280491.tif 000007
【図６】
2006280491.tif 000008